(57)【要約】【課題】穀物乾燥機において夜間静音モードに移行するにあたって乾燥の進行を損なわせないものとする。【解決手段】貯留室２の天井部に配設する拡散盤の回転数を変更可能に構成するとともに、乾燥室３部の穀物流下通路を挟んで構成される熱風室及び排風室のうち排風室に連通する吸引ファン７の回転数を変更可能に構成し、予め設定した時間帯では回転拡散盤１５の回転を止め、吸引ファン７回転を所定回転数以下に設定変更する静音モードを備え、この静音モードへの移行は穀物水分が所定水分値以下であるか、又は乾燥開始後所定時間以上を経過することを条件に通常乾燥モードから上記静音モードへ切替すべく構成する。【選択図】                図５
2004211946.tif 000002
【特許請求の範囲】
【請求項１】
貯留室２、乾燥室３、集穀室４の順に積み重ねられ、昇降機５の駆動によって穀粒を循環すべく構成し、上記乾燥室３部を通過する穀粒を熱風によって乾燥する穀粒乾燥機において、貯留室２の天井部に配設する拡散盤の回転数を変更可能に構成するとともに、乾燥室３部の穀物流下通路を挟んで構成される熱風室及び排風室のうち排風室に連通する吸引ファンの回転数を変更可能に構成し、予め設定した時間帯では回転拡散盤の回転を止め、吸引ファン回転を所定回転数以下に設定変更する静音モードを備え、この静音モードへの移行は穀物水分が所定水分値以下であるか、又は乾燥開始後所定時間以上を経過することを条件に通常乾燥モードから上記静音モードへ切替すべく構成した穀粒乾燥機。
【請求項２】
貯留室２、乾燥室３、集穀室４の順に積み重ねられ、昇降機５の駆動によって穀粒を循環すべく構成し、上記乾燥室３部を通過する穀粒を熱風によって乾燥する穀粒乾燥機において、貯留室２の天井部に配設する拡散盤の回転数を変更可能に構成するとともに、乾燥室３部の穀物流下通路を挟んで構成される熱風室及び排風室のうち排風室に連通する吸引ファンの回転数を変更可能に構成し、予め設定した時間帯では回転拡散盤の回転を止め、吸引ファン回転を所定回転数以下に設定変更する静音モードを備え、この静音モードへの移行は穀粒張込量が所定張込量以下であることを条件に通常乾燥モードから上記静音モードへ切替すべく構成した穀粒乾燥機。
【請求項３】
静音モードへの移行条件が整わない場合には熱風発生器を停止して吸引ファンを回転する通風乾燥又は強制的に静音モードに切替える切替手段を構成してなる請求項１又は請求項２に記載の穀粒乾燥機。
【発明の詳細な説明】
【０００１】
【発明の属する技術分野】
この発明は、穀粒を貯留室、乾燥室及び集穀室を循環しながら熱風を浴びせて乾燥する穀粒乾燥機に関し、夜間の静音運転に関する。
【０００２】
【従来の技術】
従来、夜間の静音運転を行わせるため、吸引ファンの回転数を低下させたり（例えば特許文献１）、貯留室天井に設ける回転拡散盤の回転を停止させて（例えば特許文献２）、静音モードに移行すべく構成している。なお、この静音モードへの移行をオペレータの意図によって行わせたり、自動的にタイマ設定によって移行しうるよう構成されるものである。
【０００３】
【特許文献１】
特開２００２−３１０５５８号公報
【特許文献２】
特開平７−２３４０７１号公報
【０００４】
【発明が解決しようとする課題】
ところが上記の形態では、穀粒条件に関りなく一律に静音モードに移行する構成であるから無闇に静音モードへ移ると却って乾燥の進行を損ないかねない。
【０００５】
【課題を解決するための手段】
上記課題を解決するために、本発明は次のような技術的手段を講じた。
即ち、請求項１に記載の発明は、貯留室２、乾燥室３、集穀室４の順に積み重ねられ、昇降機５の駆動によって穀粒を循環すべく構成し、上記乾燥室３部を通過する穀粒を熱風によって乾燥する穀粒乾燥機において、貯留室２の天井部に配設する拡散盤の回転数を変更可能に構成するとともに、乾燥室３部の穀物流下通路を挟んで構成される熱風室及び排風室のうち排風室に連通する吸引ファンの回転数を変更可能に構成し、予め設定した時間帯では回転拡散盤の回転を止め、吸引ファン回転を所定回転数以下に設定変更する静音モードを備え、この静音モードへの移行は穀物水分が所定水分値以下であるか、又は乾燥開始後所定時間以上を経過することを条件に通常乾燥モードから上記静音モードへ切替すべく構成した穀粒乾燥機の構成とする。
【０００６】
これによって、夜間は吸引ファンの回転を低下し拡散盤の回転を停止するから静音環境が得られて穀粒乾燥機設置付近は騒音から開放される。またこの静音モードへの移行は穀粒が所定水分値以下であるかあるいは穀粒乾燥開始後所定時間以上の経過を条件とするから、所定水分値が高い状況あるいはその高い状況を予測できる状況では、吸引ファンを低下することで乾燥遅れが生じて穀物品質を損なうこともなく、拡散盤を停止することでの張込の偏りから生じる穀物品質の低下を防止する。
【０００７】
また請求項２に記載の発明は、貯留室２、乾燥室３、集穀室４の順に積み重ねられ、昇降機５の駆動によって穀粒を循環すべく構成し、上記乾燥室３部を通過する穀粒を熱風によって乾燥する穀粒乾燥機において、貯留室２の天井部に配設する拡散盤の回転数を変更可能に構成するとともに、乾燥室３部の穀物流下通路を挟んで構成される熱風室及び排風室のうち排風室に連通する吸引ファンの回転数を変更可能に構成し、予め設定した時間帯では回転拡散盤の回転を止め、吸引ファン回転を所定回転数以下に設定変更する静音モードを備え、この静音モードへの移行は穀粒張込量が所定張込量以下であることを条件に通常乾燥モードから上記静音モードへ切替すべく構成した穀粒乾燥機の構成とする。
【０００８】
これによって、張込量が非常に多い状況では、吸引ファンを低下することで乾燥遅れが生じたり、拡散盤を停止することで穀粒詰りを生じるが、静音モードへの移行は穀粒張込量が所定張込量以下であることを条件とするから、このような不測の状態を惹き起こさない。
【０００９】
請求項３に記載の発明は、上記において、静音モードへの移行条件が整わない場合には熱風発生器を停止して吸引ファンを回転する通風乾燥又は強制的に静音モードに切替える切替手段を構成してなる。
これによって、通風乾燥としたり、強制的に静音モードに切替えるかをオペレータの意図にて選択することができる。
【００１０】
【発明の効果】
請求項１に係る発明は、夜間は吸引ファンの回転を低下し拡散盤の回転を停止するから静音環境が得られて穀粒乾燥機設置付近は騒音を低減できる。また、夜間になると無闇に静音モードに移行するものではなく、穀粒水分状況をみて静音モードに入るか否かが判断されるから、特に高い水分状況下での穀粒品質の低下を防止できる。
【００１１】
請求項２に係る発明は、上記の騒音低減の効果を伴うほか、静音モードへの移行は穀粒張込量が所定張込量以下であることを条件とするから、乾燥遅れや穀粒詰りなどの状態を惹き起こさない。
請求項３に記載の発明は、静音モードへの移行条件が整わない場合には熱風発生器を停止して吸引ファンを回転する通風乾燥又は強制的に静音モードに切替える切替手段を有するから、静音を優先するかあるいは通風を優先するかをオペレータの意図に委ねることができ、効率的な乾燥を選択できる。
【００１２】
【発明の実施の形態】
この発明の一実施の形態を図面に基づき説明する。１は穀物乾燥装置の機枠で、内部には貯留室２、乾燥室３、集穀室４の順に積み重ねられ、外部に設ける昇降機５の駆動によって穀物を循環させながら、乾燥室３部でバーナ６燃焼と吸引ファン７とにより発生する熱風を浴びせて乾燥する形態である。
【００１３】
乾燥室３において、中央及び左右の熱風室８，９，９にはバーナ６の熱風を供給しうるようになし、一方通気性材で形成するＶ形状の穀物流下通路１０，１０によって囲まれる断面ひし形形状の排風室１１，１１は吸引ファン７に通じて、該穀物流下通路１０，１０を流下する穀物に熱風を浴びせる構成である。
【００１４】
１２は繰出バルブで正逆に回転しながら所定量の穀物を流下させる。１３は上記昇降機５に通じる下部移送装置、１４は昇降機５上部側に接続する上部移送装置で、貯留室２上部の拡散盤１５に穀物供給できる。バーナ６や穀物循環機構等は、乾燥制御に必要な制御プログラムや各種データ等を記憶するメモリを備えるコンピュータによって行なわれる。即ち、操作盤１６には液晶形態の表示部１７を設け、該表示部１７の下縁に沿って４個の押しボタン形態のスイッチ１８〜２１、及びやや離れて非常停止スイッチ２２を配設している。該スイッチ１８〜２１はその機能が表示部１７に表示されるもので、図例では、順に張込・乾燥・排出・停止の各運転用スイッチに構成されるが、表示部１７の画面変更に従って異なる機能を具備せしめ得る構成である。
【００１５】
内蔵の制御部は操作盤１６面のスイッチ情報や乾燥機機枠１各部に配設したセンサ類からの検出情報等を受けて必要な比較演算のもと、バーナ燃焼量の制御，穀物循環系の起動・停止制御，表示部１７の表示内容制御等を行う。上記操作盤１６のスイッチ類は、張込・乾燥・排出・通風の各設定のほか、穀物種類、設定水分（仕上げ水分）、張込量、タイマ増・減等を設定できる。
【００１６】
図４は制御ブロック図を示し、上記操作盤１６を有するコントロールボックスに内蔵するコンピュータの演算制御部２３には上記スイッチ類からの設定情報のほか、水分計２４検出情報、昇降機５の投げ出し部に設ける穀物流れ検出器の穀物検出情報、熱風温度検出情報等が入力される。一方出力情報としては、バーナ６の燃焼系信号、例えば燃料供給信号，その流量制御信号、あるいは上下移送螺旋，昇降機５を駆動する穀物循環モータ２７制御信号、吸引ファン７モータ２９制御信号，前記表示部１７への表示出力等がある。
【００１７】
さらに、上記演算制御部１９は、内蔵のタイマ手段が予め設定した夕方時刻から明け方時刻までの間は前記吸引ファン７の回転数を所定回転数に低下し、回転拡散盤１１の回転を停止する静音モードに移行するよう構成している。即ち、吸引ファン７を回転連動するファンモータ２９は予め高低２段に変速可能に設けられ、通常乾燥の状態（通常モード）では高速側で回転し、上記静音モード移行条件を判定すると制御部１９から低速側切替信号が出力されるものである。また、拡散盤１５も独立した拡散モータ３０を備え、上記静音モード移行条件を判定すると該拡散モータ３０には停止信号が出力される構成としている。
【００１８】
従って、夕刻の所定時刻になると通常乾燥の状態から吸引ファン７は低速になり、かつ拡散盤１５は停止し、明け方の設定時刻となると、再び吸引ファン７は高速回転し、拡散盤１５も回転復帰するよう構成されている（図５）。
さらに、図５に示すように、演算制御部１９は以下のように静音モードへの移行を行わせないよう牽制をする構成としている。すなわち、所定条件の整わないときには静音モード移行を行わず通常モードを継続する。該所定条件とは、▲１▼検出水分値Ｍｎが所定値Ｍα以下であること、▲２▼張込量Ｖが満了Ｖｓより一定量ΔＶ少ない所定値（Ｖｓ−ΔＶ）以下であることである。この▲１▼及び▲２▼の条件のうち、いすれかを満たさないときは静音モードへの移行が行われない構成としている（ステップ０６，０７）。
【００１９】
又、操作盤１６には、強制スイッチ３１を配設している。この強制スイッチ３１は上記▲１▼又は▲２▼の条件を満たさない場合に、これをオンすると静音モードに強制的に移行すべく構成している（ステップ１３）。従ってオペレータはこの強制スイッチ３１の操作によって静音モードへの移行を選択できる。
【００２０】
上例の作用について説明する。乾燥穀粒を貯留室１に張り込み、操作盤１６の表示画面を設定入力画面に切替えて、張込量、仕上げ水分、及び定温制御又は乾燥速度制御乾燥の乾燥種類を設定操作する（ステップ０１）。次いで表示画面を作業モード指定画面に切替え、「乾燥」に対応するスイッチ１９をオンする。これによって回転各部は運転開始し、バーナ６に燃料供給され着火することで乾燥運転状態になるが、このときの運転は通常モードである。時間経過によって夕方の所定時刻、例えば午後７時になると、その時点での検出水分値Ｍｎが前記所定水分値Ｍα以下であるか否か判断され（ステップ０６）、かつ張込量Ｖが前記所定張込量（Ｖｓ−ΔＶ）以下であるか否か判断され（ステップ０７）、いずれの条件も満たしているときは、吸引ファン７回転を低速に切替え（ステップ０８）、かつ拡散盤１５は停止され（ステップ０９）、静音モードに入る。この状態で時間経過し、明け方所定時刻、例えば午前６時になると通常モード復帰処理がなされる。すなわち吸引ファン７は高速回転に復帰し（ステップ１１）、拡散盤１５は回転駆動状態に復帰する（ステップ１２）。以上の状態を継続し検出水分Ｍｎが仕上げ水分値以下になると乾燥終了する。
【００２１】
上記のように、予め設定した夕方時刻から明け方時刻の間は静音モードに移行して吸引ファン７回転を低下することによる低騒音化がはかれ、かつ拡散盤１５回転を停止によって穀粒飛散による騒音を防止でき、全体に夜間における静音化をはかることができる。
【００２２】
なお、ステップ０６で水分値の比較によって静音モードへ移行するか否かを判断したが、これに換えて乾燥開始後所定時間以上を経過することを条件に通常乾燥モードから上記静音モードへ切替すべく構成してもよい。いすれの場合でも乾燥初期時の高水分状態下での静音モード移行が行われ得ないものとなって穀物の品質劣化を防止することができる。
【００２３】
また、上記のステップ０６及びステップ０７で、所定水分値Ｍα以上であり、又は所定張込量（Ｖｓ−ΔＶ）以上のときは、強制スイッチ３１の操作によって強制的に静音モードに移行し、又は通常モードを維持する構成である。したがって、オペレータの意図によって静音モードへの移行を行うことができる。このとき、図６のように、強制スイッチ３１操作をして静音モードに移行したときには、バーナ６を停止して所謂通風モードに移行する構成としておくことによって、過熱現象を防止でき、とりわけ張込量Ｖが満了に近い状況で有利である。上記の強制スイッチ３１には、所定時刻範囲でなくとも強制的に静音モードに移行すべく構成してもよい。
【００２４】
図７は前記繰出バルブの１２の具体的構成を示す。断面Ｕ型で前後方向に長いバルブ単体３４，３４…を円周方向に複数個（図例では１２個）を、上記前後方向に複数個の多角環体３５，３５…に沿って適宜の固定手段、例えばリベット止めによって固定することによりバルブ本体を構成する。そして隣接する壁部同士が接合され半径方向に突出するバルブ区画部３６，３６…には、夫々シールゴム３７を配設する。すなわち、バルブ区画部３６と、前後方向に長い保持プレート３８との間に、半径方向にバルブ区画部３６高さよりも高いシールゴム３７を挟んでボルト、ナットなどの締付具で固着する構成であり、該シールゴム３７は加硫成型によるが保持プレート３８の基部を抱持すべく断面Ｊ型の係合基部３７ａを形成する。
【００２５】
上記のように、繰出バルブ１２は複数のバルブ単体３４を円周方向に接合してバルブ本体を構成し、このうち半径方向に突出するバルブ区画部３６にシールゴム３７を付設するにあたって、該シールゴム３７の基部に保持プレート３８の基部を抱持すべく断面Ｊ型の係合基部３７ａを形成することにより、単なる平形状のシールゴムとする従来構成では回転軸方向に長尺の構造であること、及び繰り返しの正逆転で半径方向にずれてしまいやがては徐々にはみ出し状となってシールゴム３７の縁辺が不揃いとなって正規のシール性を確保できないが、上記の構成とすると保持プレート３８の基部がシールゴム３７の係合基部３７ａを抱持するため保持プレート３８の固定すると容易に半径方向に抜き出さないため、従来の欠点を解消することができるものとなる。
【００２６】
図８，９は乾燥機機枠１の主に貯留室２の外壁を構成するパネルの組付け構成を開示する。上下方向に同形状のパネル３９，４０を足して壁部を構成するが、パネル３９上面には補強兼上パネル４０の台座用に断面Ｌ型の補強枠４１を設ける。この補強枠４１には孔４１ａを形成して係合突起４２を突出状に設ける。なお、この係合突起４２は基部を補強枠４１の裏面に溶接等によって固着している。４１ｂは正面側下方に向けて折り曲げた折り曲げ部である。一方上パネル４０の下端部に上記補強枠４１の上面に接合すべく補強枠４３を構成している。該補強枠４３には上記係合突起４６を嵌合すべくやや大きく開口した孔部４３ａ、及び折り曲げ部４３ｂを形成している。この折り曲げ部４３ｂは上記下パネル３９側補強枠４１の折り曲げ部４１ｂの垂下長よりも長い構成であり図示のように下パネル３９に対して上パネル４０を折り曲げ部の接触位置付近を中心に回動させながら正面側から係合突起４２に係合するものである。
【００２７】
一方この上パネル４０を正面側パネルとすると、同形態の側部パネル４４を備える。この構成は側部端面に補強枠４５を備え上記係合突起と同形態の係合突起４６，４６を上下方向に設けている。一方正面側上パネル４０の側部には係合孔４０ａ，４０ａを上下に配設して係合可能に構成している。
【００２８】
上記のように構成すると、下パネル３９及び側部パネル４４を組付けた後、最後に正面上パネル４０を装着するときは、まず下パネル３９に対して上パネル４０を折り曲げ部の接触位置付近を中心に回動させながら正面側から係合突起４２に係合する。このとき係合突起４６，４６に係合孔４０ａ，４０ａを係合させつつ僅かにスライドさせて正規の位置にセットし得るものとなる。ところで上パネルは下パネルに対して係合突起４２に係合させてやや斜め状態で独立的に姿勢保持できるからこの状態で別面の組付けを行うなど一人あるいは少数による組付け作業が可能となる。
【００２９】
乾燥機機枠１の天井部には、昇降機５の上部に接続され穀粒案内通路を形成する穀粒投げ出し部５０に取っ手５１を構成する。これによって天井上面での高所作業の際、片手をこの取っ手５１に伸ばして作業することにより安全を確保できる効果がある。このような取っ手は天井部における上部移送装置のケーシング部材の長手方向全体あるいはその一部に渡って設けることにより、広い作業範囲への対応が可能となる。
【００３０】
なお、上記の実施例ではバーナ熱風による乾燥による構成としたが、バーナ熱風により乾燥室や集穀室内に設置した赤外線放射体を加熱して赤外線輻射熱と廃熱風を利用して穀物乾燥する形態にも利用できる。
【図面の簡単な説明】
【図１】穀粒乾燥機の正面図である。
【図２】穀粒乾燥機の正断面図である。
【図３】御盤正面図である。
【図４】制御ブロック図である。
【図５】フローチャートである。
【図６】フローチャートである。
【図７】繰出バルブの断面図である。
【図８】パネル組み立ての側断面図である。
【図９】パネル組み立ての斜視図である。
【符号の説明】
１…乾燥機枠、２…貯留室、３…乾燥室、４…集穀室、５…昇降機、６…バーナ、７…吸引ファン、１５…拡散盤、２４…水分計、２９…ファンモータ、３０…拡散モータ、３１…強制スイッチ
【図１】
2004211946.tif 000003
【図２】
2004211946.tif 000004
【図３】
2004211946.tif 000005
【図４】
2004211946.tif 000006
【図５】
2004211946.tif 000007
【図６】
2004211946.tif 000008
【図７】
2004211946.tif 000009
【図８】
2004211946.tif 000010
【図９】
2004211946.tif 000011